(57)【要約】【課題】脚構造の構成を簡素化して材料コスト及び組み立てコストを大幅に低減する。【解決手段】屋根構造と屋根構造を所要高さに支持するための脚構造５０とを有し、脚構造５０は、屋根構造の左右の端部４１を支持するために平棚の左右側の周囲線４に沿って前後方向へ所定の間隔を有して地上に立設した側部パイプ支柱５１と、周囲線４に沿って配置した左右側の側部パイプ支柱５１が一直線を保持するように、各側部パイプ支柱５１を周囲線４に固定する固定手段６０と、左右側で対向する側部パイプ支柱５１の上部間を緊張締結する支持張線７０と、左右側の各側部パイプ支柱５１の上端部間を固定するパイプ桁５５と、を有し、パイプ桁５５上に屋根構造の端部４１を固定する。【選択図】図３
2014096992.tif 000002
【特許請求の範囲】
【請求項１】
果樹の圃場を取り巻くように配置されて圃場の内側から外側上方へ向けて傾斜設置した複数の傾斜支柱と、該傾斜支柱の上端部を取り巻くように張設した周囲線と、該周囲線の対向する辺の相互間に張設した張線とを有する平棚が設けられた圃場に設置する平棚用雨除けハウスであって、
左右方向の両端部が下方へ湾曲して左右中間部がアーチ状に突出した山形部を有し、該山形部が前後方向へ延設されて上面に雨除けシートが設置される屋根構造と、該屋根構造を所要高さに支持するための脚構造とを有しており、
前記脚構造は、前記屋根構造の左右の端部を支持するために前記平棚の左右側の周囲線に沿って前後方向へ所定の間隔を有して地上に立設した側部パイプ支柱と、
前記周囲線に沿って配置した左右側の側部パイプ支柱が一直線を保持するように、各側部パイプ支柱を前記周囲線に固定する固定手段と、
前記左右側で対向する側部パイプ支柱の上部間を緊張締結する支持張線と、
前記左右側の各側部パイプ支柱の上端部間を固定するパイプ桁と、を有し、
前記パイプ桁上に前記屋根構造の端部を固定したことを特徴とする平棚用雨除けハウス。
【請求項２】
前記固定手段は、前記側部パイプ支柱と前記周囲線との間隔に挾持されるスペーサを有することを特徴とする請求項１記載の平棚用雨除けハウス。
【請求項３】
前記固定手段は、前記側部パイプ支柱に取り付けて、前記側部パイプ支柱と前記周囲線との間隔を調節できる調節ボルトを有することを特徴とする請求項１記載の平棚用雨除けハウス。
【請求項４】
前記パイプ桁に屋根取付具を備え、該屋根取付具に前記屋根構造の端部を固定したことを特徴とする請求項１〜３のいずれか１つに記載の平棚用雨除けハウス。
【請求項５】
前記脚構造は、前記屋根構造を複数備えた際に該屋根構造の相互間に谷部が形成される端部を支持するための内側パイプ支柱を有することを特徴とする請求項１〜４のいずれか１つに記載の平棚用雨除けハウス。
【請求項６】
前記内側パイプ支柱の上端部に、前記屋根構造の端部を支持する取付具を備えた樋を設けたことを特徴とする請求項５に記載の平棚用雨除けハウス。
【請求項７】
果樹の圃場を取り巻くように配置されて圃場の内側から外側上方へ向けて傾斜設置した複数の傾斜支柱と、該傾斜支柱の上端部を取り巻くように張設した周囲線と、該周囲線の対向する辺の相互間に張設した張線とを有する平棚が設けられた圃場に設置する平棚用雨除けハウスの設置方法であって、
左右方向の両端部が下方へ湾曲して左右中間部がアーチ状に突出した山形部を有し、該山形部が前後方向へ延設されて上面に雨除けシートが設置される屋根構造と、
該屋根構造の左右方向の端部を支持するための側部パイプ支柱を少なくとも有する脚構造とを設け、
前記側部パイプを、前記平棚の左右側の周囲線に沿って前後方向へ所定の間隔を有して地上に立設し、
前記左右側に立設した各側部パイプ支柱が一直線を保持するように固定手段を介して前記周囲線に固定し、
前記左右側で対向する側部パイプ支柱の上端部同士間を支持張線により緊張締結し、
前記左右側の各側部パイプ支柱の上端部間をパイプ桁により固定し、
前記パイプ桁上に前記屋根構造の端部を固定することを特徴とする平棚用雨除けハウスの設置方法。
【発明の詳細な説明】
【技術分野】
【０００１】
本発明は、平棚を用いて葡萄、キウイ、梨、スモモ等の果樹を栽培する平棚圃場に適用する平棚用雨除けハウス及びその設置方法に関するものである。
【背景技術】
【０００２】
葡萄、キウイ、梨、スモモ等の果樹を栽培するための圃場においては平棚を用いることが従来から実施されており、このような平棚圃場では均等な日照により均質の果実が収穫できること、及び、各種作業の作業性に優れること等の利点を有している。
【０００３】
図１０〜図１３は矩形形状の圃場に備えられる平棚１の一例を示したものであり、矩形の圃場の各辺には、図１３に示す如く、内側から外側上側へ向かって例えば４５゜前後の傾斜角を有する傾斜柱２が所要の間隔で固設されている。通常、圃場の各辺には２２００ｍｍ前後の等間隔を有して複数の傾斜柱２が固設されている。傾斜柱２は、一般にコンクリート製であり下端を地面に埋設させて固定している。又、圃場のコーナ部には、該コーナ部を平面視で２等分するように傾斜柱２'が設けてあり、この傾斜柱２'も内側から外側上側へ向かって例えば４５゜前後の傾斜角で設置されている。
【０００４】
図１３に示すように、各傾斜柱２（２'）の上端部における圃場の外側と内側には段部３，３'が形成してあり、前記各傾斜柱２の外側の段部３には周囲線４が嵌合しており、該周囲線４により全ての傾斜柱２の上端部を所定の張力で周囲から取り巻くように固縛している。上記周囲線４には、例えば２ｍｍ径の果樹鋼線を７本撚りにしたワイヤ状のものを用いている。
【０００５】
又、各傾斜柱２の上端部の内側の段部３'には複数回掛けて傾斜柱２の上端部を固縛した引き下げ線５が取り付けてあり、該引き下げ線５の下端は地中に設けたアンカー６に固定している。前記引き下げ線５は、周囲線４に作用する張力によって前記傾斜柱２が起き上がる（煽りを受ける）のを防止している。前記引き下げ線５は周囲線４と同様に果樹鋼線を７本撚りにしたものを用いている。
【０００６】
矩形の圃場の対向する二辺に設けられる傾斜柱２の相互間には、図１０、図１２に示す如く、左右方向に延びる張線７ａと奥行き方向に伸びる張線７ｂが緊張して締結されており、左右方向の張線７ａと奥行き方向の張線７ｂは網状に上下交互に編まれた配置となっている。従って、圃場内の傾斜柱２の上端の高さ位置には、２２００ｍｍ間隔の升目が形成されている。上記張線７ａ，７ｂは例えば果樹鋼線を例えば３本撚りにしたワイヤ状のものを用いている。
【０００７】
更に、前記左右方向の張線７ａと奥行き方向の張線７ｂの夫々の間には、対向する周囲線４間を３０〜４０ｍｍ程度の間隔で緊張して締結する左右方向の小張線８ａと奥行き方向の小張線８ｂを設けている。小張線８ａ，８ｂは果樹鋼線の単線を用いており、小張線８ａ，８ｂは前記張線７ａ，７ｂの上部に配置している。
【０００８】
そして、上記小張線８ａ，８ｂにより３００〜４００ｍｍ程度の小さい間隔の升目が形成されており、この小さい升目によって果樹の水平方向に延びる枝を支持する平棚１を構成している。又、前記張線７ａ，７ｂが交叉している所要の位置には、図１０に示すように、張線７ａ，７ｂを支持する鉛直の中間支柱９が設けられている。
【０００９】
一方、図１４、図１５は従来から実施されている雨除けハウスの一例を示している。この雨除けハウスは、図１４に正面図を示すように、左右方向の両端部４１が下方へ湾曲して左右中間部がアーチ状に突出した山形部４２を形成し、この山形部４２が図１５に示すように前後方向（奥行き方向）へ延設された屋根構造４０と、この屋根構造４０を所要高さに支持するための脚構造５０とにより構成している。
【００１０】
図１４に示す屋根構造４０は、左右に３つの屋根構造４０ａ，４０ｂ，４０ｃを並べて備えた場合を示しており、屋根構造４０ａ，４０ｂ，４０ｃの相互間には端部４１による谷部４３が形成されている。４４は屋根構造４０を構成する奥行き方向に複数配置されるアーチパイプ、４５は奥行き方向に延びて前記複数のアーチパイプ４４を固定するための複数の屋根桁パイプ、４６は屋根構造４０のアーチパイプ４４を後述する脚構造５０のパイプ梁５３に固定するための縦方向に複数設設けられる補強パイプである。前記屋根構造４０の左右方向の両端部４１は、前記アーチパイプ４４の左右方向の両端部である。前記アーチパイプ４４、屋根桁パイプ４５及び補強パイプ４６は、例えば２０ｍｍ〜２２ｍｍ径の細い鋼管パイプにより構成している。
【００１１】
図１４、図１５の脚構造５０は、前記３つの並設された屋根構造４０ａ，４０ｂ，４０ｃを支持する場合を示しており、最も左側の屋根構造４０ａの左側端部４１と、最も右側の屋根構造４０ｃの右側端部４１を支持する側部パイプ支柱５１と、前記屋根構造４０ａ，４０ｂ，４０ｃによって形成される谷部４３の端部４１を支持する内側パイプ支柱５１'とを有して脚構造５０の一部である前面（最前段）の支持脚枠５２ａを構成している。前記側部パイプ支柱５１と内側パイプ支柱５１'の相互の間隔は例えば５０００ｍｍとした場合を示している。
【００１２】
図１４の最前段の支持脚枠５２ａの後方には、図１５に示すように、前記支持脚枠５２ａと同一の構成を有する支持脚枠５２ｂ，５２ｃ・・・が例えば３０００ｍｍの間隔を有して多段に配置されている。
【００１３】
前記各段の支持脚枠５２ａ，５２ｂ，５２ｃ・・・における前記側部パイプ支柱５１と内側パイプ支柱５１'の相互間は、左右方向へ延びるパイプ梁５３により固定している。又、各段の支持脚枠５２ａ，５２ｂ，５２ｃ・・・における側部パイプ支柱５１の上端部と内側パイプ支柱５１'の下端部との間は左右方向へ傾斜して延びるパイプ筋交５４により固定している。
【００１４】
更に、前記各段の支持脚枠５２ａ，５２ｂ，５２ｃ・・・に備えられる側部パイプ支柱５１の上端部の相互間は、図１５に示すように前後方向へ延びるパイプ桁５５により固定している。
【００１５】
従って、前記側部パイプ支柱５１と、内側パイプ支柱５１'と、パイプ梁５３と、パイプ筋交５４と、パイプ桁５５及びパイプ筋交５６とにより、脚構造５０が構成される。前記側部パイプ支柱５１、内側パイプ支柱５１'、パイプ梁５３、パイプ筋交５４、パイプ桁５５及びパイプ筋交５６は、例えば４８．６ｍｍ径の鋼管パイプにより構成している。
【００１６】
そして、前記屋根構造４０の左右の両端部４１を、前記の如く組み立てた脚構造５０の側部パイプ支柱５１及び内側パイプ支柱５１'上部のパイプ桁５５上に固定することにより、図１４、図１５に示す雨除けハウスが構成される。図示しないが、前記屋根構造４０ａ，４０ｂ，４０ｃの上面には雨除けシート（ビニールシート）が設置される。又、前記屋根構造４０ａ，４０ｂ，４０ｃの谷部４３には図示しない樋を設けることができる。
【００１７】
上記した雨除けハウスは、強風等にも耐えて変形や損壊を生じたり移動したりすることがないように、４８．６ｍｍ径のような太い口径の側部パイプ支柱５１、内側パイプ支柱５１'、パイプ梁５３、パイプ筋交５４、パイプ桁５５及びパイプ筋交５６を用いて、高い剛性強度を有する脚構造５０を組み立てている。
【００１８】
図１０〜図１３に示した平棚１を用いて露地栽培されている果樹は、気象の影響を強く受ける。例えば、近年の集中豪雨や異常高温等の異常気象によって、果樹や果実が傷め付けられたり、果実の品質が低下したり、病気が発生し易くなる等の問題が生じている。
【００１９】
特に開花期に降雨があった場合には、花や木葉が濡れることにより、収穫時期に晩腐という果実が腐る病気を発生することが知られている。晩腐が発生した場合には、腐った果実を間引く必要があり、その間引く作業のために多大の手数を要する上に、果実の収穫量が大幅に減少する問題がある。更に、果実の品質も低下することになるため、果樹農家にとっては深刻な問題となっている。
【００２０】
又、開花期以外でも降雨によって木葉が濡れると、湿気による病気が発生し易くなるため、降雨の後では消毒を実施しているが、降雨の度に行う消毒の回数が増加することから、コストが増加するという問題を有していた。
【００２１】
従って、降雨による被害を低減するために、図１０〜図１３に示すような平棚１を有する圃場に、図１４、図１５に示すような雨除けハウスを設置することにより、上記したような従来の降雨等による問題の発生を低減することが考えられている。
【００２２】
この種の先行技術を示すものとしては、平棚を可動型にして作業性を高めるようにした果樹棚装置がある（特許文献１参照）。又、頂部に換気口を形成した果樹用雨除けハウスがある（特許文献２参照）。
【先行技術文献】
【特許文献】
【００２３】
【特許文献１】特開平０５−１５３８７６号公報
【特許文献２】実開平０６−０８６４４１号公報
【発明の概要】
【発明が解決しようとする課題】
【００２４】
しかし、図１０〜図１３に示すような平棚１に、図１４、図１５の雨除けハウス、又は特許文献２に示された果樹用雨除けハウスを適用する場合、雨除けハウスは高い剛性強度を保持する必要があるために、太い口径の側部パイプ支柱５１、内側パイプ支柱５１'、パイプ梁５３、パイプ筋交５４、パイプ桁５５及びパイプ筋交５６等の多数の強度部材を用いて組み立てる必要があり、そのために強度部材の点数が多くなって材料コストが増加する問題がある。更に、長尺で重量が大きい多数の強度部材（パイプ）を果樹が植わっている圃場内に搬入し、持ち回して設置する作業は非常に大変であり、作業工数が増加することにより組み立てコストが増加する問題がある。従って、雨除けハウスは高価となるために、果樹農家は雨除けハウスの設置を望んでいても採用し難いという問題を有していた。
【００２５】
本発明は、上記従来の問題点に鑑みてなしたもので、脚構造の構成を簡素化して材料コスト及び組み立てコストを大幅に低減できるようにした平棚用雨除けハウス及びその設置方法を提供しようとするものである。
【課題を解決するための手段】
【００２６】
本発明は、果樹の圃場を取り巻くように配置されて圃場の内側から外側上方へ向けて傾斜設置した複数の傾斜支柱と、該傾斜支柱の上端部を取り巻くように張設した周囲線と、該周囲線の対向する辺の相互間に張設した張線とを有する平棚が設けられた圃場に設置する平棚用雨除けハウスであって、
左右方向の両端部が下方へ湾曲して左右中間部がアーチ状に突出した山形部を有し、該山形部が前後方向へ延設されて上面に雨除けシートが設置される屋根構造と、該屋根構造を所要高さに支持するための脚構造とを有しており、
前記脚構造は、前記屋根構造の左右の端部を支持するために前記平棚の左右側の周囲線に沿って前後方向へ所定の間隔を有して地上に立設した側部パイプ支柱と、
前記周囲線に沿って配置した左右側の側部パイプ支柱が一直線を保持するように、各側部パイプ支柱を前記周囲線に固定する固定手段と、
前記左右側で対向する側部パイプ支柱の上部間を緊張締結する支持張線と、
前記左右側の各側部パイプ支柱の上端部間を固定するパイプ桁と、を有し、
前記パイプ桁上に前記屋根構造の端部を固定したことを特徴とする平棚用雨除けハウス、に係るものである。
【００２７】
上記平棚用雨除けハウスにおいて、前記固定手段は、前記側部パイプ支柱と前記周囲線との間隔に挾持されるスペーサを有していてもよい。
【００２８】
又、上記平棚用雨除けハウスにおいて、前記固定手段は、前記側部パイプ支柱に取り付けて、前記側部パイプ支柱と前記周囲線との間隔を調節できる調節ボルトを有することが好ましい。
【００２９】
又、上記平棚用雨除けハウスにおいて、前記パイプ桁に屋根取付具を備え、該屋根取付具に前記屋根構造の端部を固定したことは好ましい。
【００３０】
又、上記平棚用雨除けハウスにおいて、前記脚構造は、前記屋根構造を複数備えた際に該屋根構造の相互間に谷部が形成される端部を支持するための内側パイプ支柱を有することが好ましい。
【００３１】
又、上記平棚用雨除けハウスにおいて、前記内側パイプ支柱の上端部に、前記屋根構造の端部を支持する取付具を備えた樋を設けることは好ましい。
【００３２】
本発明は、果樹の圃場を取り巻くように配置されて圃場の内側から外側上方へ向けて傾斜設置した複数の傾斜支柱と、該傾斜支柱の上端部を取り巻くように張設した周囲線と、該周囲線の対向する辺の相互間に張設した張線とを有する平棚が設けられた圃場に設置する平棚用雨除けハウスの設置方法であって、
左右方向の両端部が下方へ湾曲して左右中間部がアーチ状に突出した山形部を有し、該山形部が前後方向へ延設されて上面に雨除けシートが設置される屋根構造と、
該屋根構造の左右方向の端部を支持するための側部パイプ支柱を少なくとも有する脚構造とを設け、
前記側部パイプを、前記平棚の左右側の周囲線に沿って前後方向へ所定の間隔を有して地上に立設し、
前記左右側に立設した各側部パイプ支柱が一直線を保持するように固定手段を介して前記周囲線に固定し、
前記左右側で対向する側部パイプ支柱の上端部同士間を支持張線により緊張締結し、
前記左右側の各側部パイプ支柱の上端部間をパイプ桁により固定し、
前記パイプ桁上に前記屋根構造の端部を固定することを特徴とする平棚用雨除けハウスの設置方法、に係るものである。
【発明の効果】
【００３３】
本発明によれば、脚構造の構成を簡素化して強度を保持できることにより、材料コスト及び組み立てコストを大幅に低減した平棚用雨除けハウスを提供できるという優れた効果を奏し得る。
【図面の簡単な説明】
【００３４】
【図１】本発明の平棚用雨除けハウスの脚構造の一実施例の一部を示す正面図である。
【図２】図１をＩＩ−ＩＩ方向から見た平面図である。
【図３】（ａ）は図１をＩＩＩＡ−ＩＩＩＡ方向から見た側面図、（ｂ）図１をＩＩＩＢ−ＩＩＩＢ方向から見た側面図である。
【図４】（ａ）は固定手段の他の例を示す側面図、（ｂ）は（ａ）をＩＶＢ−ＩＶＢ方向から見た切断平面図、（ｃ）は（ａ）をＩＶＣ−ＩＶＣ方向から見たスペーサの正面図である。
【図５】周囲線の内側に側部パイプ支柱を設置した実施例を示す側面図である。
【図６】（ａ）は内側パイプ支柱により樋を支持した状態を示す正面図、（ｂ）は（ａ）をＶＩＢ−ＶＩＢ方向から見た側面図、（ｃ）は樋に取り付けた屋根構造の端部を支持する取付具の正面図である。
【図７】平棚に適用する本発明の雨除けハウスの一例を示す正面図である。
【図８】図７をＶＩＩＩ−ＶＩＩＩ方向から見た側面図である。
【図９】本発明の雨除けハウスの脚構造を平棚に設置した状態の一部を示す平面図である。
【図１０】従来から実施されている平棚の一部を示す平面図である。
【図１１】図１０をＸＩ−ＸＩ方向から見た正面図である。
【図１２】図１０の一部を拡大して示した平面図である。
【図１３】従来の平棚に備えられる傾斜支柱の側面図である。
【図１４】従来の雨除けハウスの一例を示す正面図である。
【図１５】図１４をＸＶ−ＸＶ方向から見た側面図である。
【発明を実施するための形態】
【００３５】
以下、本発明の実施の形態を図示例と共に説明する。
【００３６】
図７、図８、図９は、平棚に適用する本発明の雨除けハウスの一例を示すもので、雨除けハウスは、雨除けシート（ビニールシート）が設置される屋根構造４０と、この屋根構造４０を所要高さに支持するための脚構造５０により構成している。
【００３７】
図７に示す屋根構造４０は、左右に３つの屋根構造４０ａ，４０ｂ，４０ｃを並べて備えた場合を示している。前記屋根構造４０は、図１４、図１５と同様に、奥行き方向に複数配置されるアーチパイプ４４と、奥行き方向に延びて前記複数のアーチパイプ４４を固定する複数の屋根桁パイプ４５を有して山形部４２を形成しているが、図１４に示すようなアーチを保持するため縦方向に延びる補強パイプ４６は備えておらず、図７に示すように、アーチパイプ４４に斜めに補強鋼線４７を張設することによってアーチ形状を保持しており、この構造によって屋根構造４０の軽量化を図っている。更に、前記屋根構造４０における山形部４２の頂部には、通気孔４８が備えられており、雨除けハウス内で高温になった空気が前記通気孔４８を通して自然に外部へ排出されるようになっている。前記通気孔４８は、山形部４２の左右の頂部が上下に間隔を隔てて重なる（ラップする）ようにフレーム４９により形成してあり、これにより、雨滴が通気孔４８から雨除けハウス内に吹き込むのを防止している。
【００３８】
前記屋根構造４０ａ，４０ｂ，４０ｃを支持する脚構造５０は、図７における最も左側の屋根構造４０ａの左側端部４１と、最も右側の屋根構造４０ｃの右側端部４１を支持する側部パイプ支柱５１と、前記屋根構造４０ａ，４０ｂ，４０ｃによって形成される谷部４３の端部４１を支持する内側パイプ支柱５１'とを有して脚構造５０の一部である前面（最前段）の支持脚枠５２ａを構成している。前記側部パイプ支柱５１と内側パイプ支柱５１'の相互の間隔は例えば５０００ｍｍとした場合を示している。
【００３９】
図７の最前段の支持脚枠５２ａの後方には、図８に示すように、前記支持脚枠５２ａと同一の構成を有する支持脚枠５２ｂ，５２ｃ・・・が例えば３０００ｍｍの間隔を有して多段に配置されている。
【００４０】
図９に示す平棚における左右側（図９では右側部分のみを示している）の周囲線４の外側には、３０００ｍｍの間隔を有して側部パイプ支柱５１を地上に立設し、又、図９の平棚における前後側（図９では前側部分のみを示している）の周囲線４の外側には、側部パイプ支柱５１及び内側パイプ支柱５１'を地上に立設している。
【００４１】
そして、前記各側部パイプ支柱５１、及び、前記側部パイプ支柱５１と内側パイプ支柱５１'は、夫々一直線になるように、図１〜図３に示す固定手段６０を介して周囲線４に固定している。ここで、前記各側部パイプ支柱５１、及び、前記側部パイプ支柱５１と内側パイプ支柱５１'が一直線に固定されていないと、脚構造５０上に屋根構造４０を設置する際の設置作業が大変になるばかりでなく、一部の側部パイプ支柱５１等に対して応力が集中する可能性があり、更に、雨除けハウスの外観形状の品質が低下するといった問題がある。従って、前記各側部パイプ支柱５１、及び、前記側部パイプ支柱５１と内側パイプ支柱５１'を一直線に固定することは非常に重要である。
【００４２】
一方、前記周囲線４は、図２及び図９に示すように、張線７ａ，７ｂ及び小張線８ａ，８ｂによって内側へ引っ張られているために、傾斜柱２の相互間において内側へ撓んだ形状を有している。更に、例えば２２００ｍｍ間隔で設置された傾斜柱２に対して、前記左右側の側部パイプ支柱５１の相互間隔は３０００ｍｍであり、又、前後側の前記側部パイプ支柱５１と内側パイプ支柱５１'の相互間隔は５０００ｍｍであるため、前記側部パイプ支柱５１及び内側パイプ支柱５１'を一直線になるように周囲線４に固定しようとした場合には、周囲線４と側部パイプ支柱５１及び内側パイプ支柱５１'との間には夫々異なった間隔が生じる。
【００４３】
このため、左右の前記側部パイプ支柱５１、及び、前後の側部パイプ支柱５１と内側パイプ支柱５１'を一直線に配置しようとしたときに、圃場の左右、前後で最も外側に位置する側部パイプ支柱５１又は内側パイプ支柱５１'は、図２、図３（ａ）に示すフックバンド６１からなる固定手段６０を用いて固定する。
【００４４】
図２、図３（ａ）に示すフックバンド６１を用いて側部パイプ支柱５１を周囲線４に固定する場合について説明すると、前記フックバンド６１は、側部にフック６２が張出して形成されており、固定ボルト６３を介して側部パイプ支柱５１に固定されるようになっている。そして、前記フックバンド６１のフック６２に前記周囲線４を嵌合させた後、図３（ａ）に示すようにフック６２を叩いて変形させることにより側部パイプ支柱５１を周囲線４に固定する。更に、図２に示すように、フック６２を介して周囲線４に鋼線からなる巻付クリップ６４を巻き付けることにより、側部パイプ支柱５１が周囲線４の長手方向へ移動しないように固定している。又、前記周囲線４に固定した側部パイプ支柱５１の近傍位置には、対向する２辺の周囲線４の相互間をターンバックル６５を備えた補助張線６６が緊張して締結されている。
【００４５】
一方、撓んだ周囲線４との間に間隔を有した位置に配置される側部パイプ支柱５１は、図２、図３（ｂ）に示すように、周囲線４と側部パイプ支柱５１との間に、その間隔に合致した長さの短管６７を設置し、周囲線４の下側から短管６７内に固定線６６'の先端を通して側部パイプ支柱５１の外周に巻付け、再び短管６７内を通して周囲線４の上側か導き出して前記固定線６６'の他端に巻付けて固定することにより、側部パイプ支柱５１を短管６７を介して周囲線４に固定している。図２、図３（ｂ）の例では、前記固定線６６'の他端を、前記側部パイプ支柱５１と対向する他辺の周囲線４に対して図２に示したターンバックル６５を介して緊張させて締結することにより、補助張線６６としている。
【００４６】
図４は前記固定手段６０の他の例を示すもので、図４ではフックバンド６１のフック６２の横への張出部６２ａの長さが長く、且つ張出部６２ａの先端から上方へ曲って立ち上がる立上部６２ｂに調節ボルト６８を備えている。そして、前記張出部６２ａを跨ぐように上側にから掛けて設置する略Ｕ字形のスペーサ６９を備えている。そして、前記周囲線４を前記フック６２に嵌合させるように張出部６２ａ上に載置し、周囲線４とフックバンド６１との間にスペーサ６９を挟んで調節ボルト６８で締め付けることにより、側部パイプ支柱５１を周囲線４に固定している。このとき、調節ボルト６８は周囲線４の径の中心よりも上側を押すように配置することが好ましい。
【００４７】
図８に示す如く、前後方向に配置される支持脚枠５２ｂ，５２ｃ・・・の左右側の各側部パイプ支柱５１の上端部は前後方向に延びるパイプ桁５５により固定している。
【００４８】
更に、前記図１、図３、図７に示すように、前記パイプ桁５５より下部位置において各側部パイプ支柱５１にフックバンド６１が固定してあり、該フックバンド６１の固定ボルト６３に固定したターンバックル６５を介して左右に対向する側部パイプ支柱５１の上端部同士を緊張して締結する支持張線７０を設けている。従って、圃場の左右に対向するように配置される前記各脚支持枠５２ｂ，５２ｃ・・・は、下側の補助張線６６と上部の支持張線７０の２段の張線によって左右方向に締結されている。
【００４９】
この時、図７に示すように側部パイプ支柱５１の内側に内側パイプ支柱５１'を設けた場合には、図６（ａ）、図７に示すように、内側パイプ支柱５１'の上端側に固定したフックバンド６１のフック６２に前記支持張線７０を支持させ、又、前記フックバンド６１の下部に固定した別のフックバンド６１のフック６２に前記補助張線６６を支持させるようにしている。前記フックバンド６１には、図２に示すように１つのフック６２を有するものと、図６（ａ）に示すように２つ以上の複数のフック６２を備えたものがある。
【００５０】
又、図８に示すように、前後方向に配置される支持脚枠５２ｂ，５２ｃ・・・における各側部パイプ支柱５１のパイプ桁５５の下部位置には、前記フックバンド６１を介して前後方向に緊張して締結する側部張線７１を設けている。
【００５１】
左右側の側部パイプ支柱５１の上端に設けたパイプ桁５５には、屋根取付具７２が設けてあり、前記屋根構造４０の端部４１（アーチパイプ４４の端部）を前記屋根取付具７２に挿入して固定できるようになっている。
【００５２】
又、内側パイプ支柱５１'の上端には、図６に示すように、前後に延びる樋７３が固定具７４により固定されており、更に、前記樋７３の所要間隔位置には、前記屋根構造４０の端部４１（アーチパイプ４４の端部）を挿入して固定する取付具７５が固定されている。
【００５３】
前記実施例では、周囲線４の外側に側部パイプ支柱５１を固定する固定手段６０の場合について説明したが、図５では前記周囲線４の内側に側部パイプ支柱５１を固定する場合の固定手段６０'の実施例を示している。
【００５４】
図５の固定手段６０'は、図４（ａ）のフックバンド６１と同様にフック６２の横への張出部６２ａの長さが長く、且つ張出部６２の先端から上方へ曲って立ち上がる立上部６２ｂに調節ボルト６８を備えている。そして、前記周囲線４の内側に配置した側部パイプ支柱５１のフックバンド６１の前記フック６２に、周囲線４を載置し、調節ボルト６８の締め込みを調節することにより、側部パイプ支柱５１と周囲線４との間の間隔Ｘを任意に調節できるようにしている。このとき、調節ボルト６８は周囲線４の径の中心よりも上側を押すように配置することが好ましい。図５の側部パイプ支柱５１の上部は前記支持張線７０によって内側（右側）へ張力が付与されているので、前記調節ボルト６８の先端は周囲線４に密着して固定される。
【００５５】
次に、上記実施例の作動を説明する。
【００５６】
本発明の平棚用雨除けハウスを、既存の平棚に設置するには、先ず、図９に示すように、左右側の各側部パイプ支柱５１、及び、前後部の側部パイプ支柱５１と内側パイプ支柱５１'を、周囲線４に沿って夫々一直線になるように地上に立設する。そして、図１〜図３又は図４に示したフックバンド６１又は短管６７を有する固定手段６０を用いて、左右側の各側部パイプ支柱５１、及び、前後部の側部パイプ支柱５１と内側パイプ支柱５１'が夫々一直線になるように周囲線４に固定する。
【００５７】
続いて、図８に示すように、前後方向に配置される支持脚枠５２ｂ，５２ｃ・・・の左右側の各側部パイプ支柱５１の上端部を前後方向に延びるパイプ桁５５により固定する。内側パイプ支柱５１'の上端には、図６に示すように樋７３を固定する。
【００５８】
左右で対向する周囲線４に固定した側部パイプ支柱５１の上端部間は、図３、図７に示す左右方向に延びる支持張線７０により、フックバンド６１を介して緊張した状態に締結する。又、図２、図３に示すように、前記支持張線７０の下部位置において、対向する周囲線４の相互間を、フックバンド６１を介して補助張線６６により緊張した状態に締結する。
【００５９】
このとき、図６に示すように、支持張線７０と交叉するように設けた内側パイプ支柱５１'には、内側パイプ支柱５１'にフックバンド６１を設けて、該フックバンド６１のフック６２に前記支持張線７０を支持させる。又、補助張線６６と交叉する前記内側パイプ支柱５１'には別のフックバンド６１を設けて、該フックバンド６１のフック６２に前記補助張線６６を支持させる。
【００６０】
又、図８に示すように、前後方向に配置される支持脚枠５２ｂ，５２ｃ・・・における各側部パイプ支柱５１のパイプ桁５５の下部位置を、フックバンド６１を介して側部張線７１により相互に緊張して締結する。
【００６１】
左右側の側部パイプ支柱５１の上端に設けたパイプ桁５５には、前記屋根構造４０の端部４１（アーチパイプ４４の端部）を固定するための屋根取付具７２を設置する。又、内側パイプ支柱５１'の上端には、図６に示すように前後に延びる樋７３を固定具７４により固定し、前記樋７３の所要間隔位置には、前記屋根構造４０の端部４１（アーチパイプ４４の端部）を固定するための取付具７５を固定する。
【００６２】
そして、前記パイプ桁５５に設けた屋根取付具７２と、前記樋７３に設けた取付具７５に端部４１（アーチパイプ４４の端部）を嵌合させるようにして屋根構造４０を脚構造５０の上部に設置する。このとき、前記側部パイプ支柱５１及び内側パイプ支柱５１'は一直線に配置されているので、屋根構造４０を脚構造５０の上に設置する作業は容易に行うことができる。
【００６３】
上記した如く、脚構造５０の左右側の各側部パイプ支柱５１、及び、前後部の側部パイプ支柱５１と内側パイプ支柱５１'を、高い強度を有する周囲線４に固定手段６０を介して固定したので、脚構造５０は高い変形強度を保持することができる。従って、左右側の対向する側部パイプ支柱５１間を締結する左右方向の支持張線７０及び補助張線６６、又、左右側で前後方向に配置される側部パイプ支柱５１間を締結する前後方向の側部張線７１を備えた簡単な構成によって脚構造５０の強度を保持できる。
【００６４】
このため、図１４、図１５に示す従来の雨除けハウスにおいて４８．６ｍｍ径の鋼管パイプで構成されるパイプ梁５３、パイプ筋交５４、パイプ筋交５６を省略することができる。この省略できるパイプの数は、４８．６ｍｍ径の鋼管パイプにより構成される全てのパイプの約４割に相当する。このように大径の強度部材の必要数を大幅に減少して脚構造５０の構成を簡素化できるため、材料コスト及び組み立てコストを大幅に低減した安価な平棚用雨除けハウスを提供することができる。発明者が行った試算では、本発明の平棚用雨除けハウスは、従来の雨除けハウスの約６割の費用で製造できることが明らかになった。
【００６５】
尚、本発明は上述の実施例にのみ限定されるものではなく、固定手段６０，６０'は、前記側部パイプ支柱５１及び内側パイプ支柱５１'を周囲線４に固定できれば、図示例以外の種々の方式を採用できること、その他、本発明の要旨を逸脱しない範囲内において種々変更を加え得ることは勿論である。
【符号の説明】
【００６６】
１  平棚
２  傾斜柱
２'  傾斜柱
４  周囲線
７ａ，７ｂ  張線
８ａ，８ｂ  小張線
４０  屋根構造
４０ａ，４０ｂ，４０ｃ  屋根構造
４１  左右の両端部（端部）
４２  山形部
４３  谷部
５０  脚構造
５１  側部パイプ支柱
５５  パイプ桁
６０  固定手段
６０'  固定手段
６１  フックバンド（固定手段） 
６４  巻付クリップ（固定手段）
６６'  固定線（固定手段）
６７  短管（固定手段）
６８  調節ボルト（固定手段）
６９  スペーサ（固定手段）
７０  支持張線
７３  樋
７４  固定具
７５  取付具
【図１】
2014096992.tif 000003
【図２】
2014096992.tif 000004
【図３】
2014096992.tif 000005
【図４】
2014096992.tif 000006
【図５】
2014096992.tif 000007
【図６】
2014096992.tif 000008
【図７】
2014096992.tif 000009
【図８】
2014096992.tif 000010
【図９】
2014096992.tif 000011
【図１０】
2014096992.tif 000012
【図１１】
2014096992.tif 000013
【図１２】
2014096992.tif 000014
【図１３】
2014096992.tif 000015
【図１４】
2014096992.tif 000016
【図１５】
2014096992.tif 000017